(57)【要約】【課題】  電気工事作業に使用される作業台は、電柱面に取り付けられた狭い台であり、作業者は安全ベルトで基本的な安全は確保されているが、手すり等は無く、時として作業台から外れた位置での作業や、高低差の大きい作業等が発生することがある。これらの作業は電柱から離れた作業台の先端部分に立って行うなど、無理な体勢での作業が要求される。【解決手段】  本発明では、電柱に取り付けられる作業台２０に設置される安全座１であって、該安全座１に設置された下面開放のコ形状の安全座滑り止め２を、作業台２０の上面の安全座滑り止め２３にかぶせ、安全座１の下部に設置された固定板８とで安全座１を作業台に固定し、安全座１の上面の両側に作業靴を固定する側部ガード３を設けて構成される。【選択図】図１
2005287145.tif 000002
【特許請求の範囲】
【請求項１】
電柱に取り付けられる作業台に設置される安全座であって、該安全座に設置された下面開放のコ形状の安全座滑り止めを、作業台の上面の安全座滑り止めにかぶせ、安全座の下部に設置された固定板とで安全座を作業台に固定し、安全座の上面の両側に作業靴を固定する側部ガードを設けたことを特徴とする柱上作業台取り付け安定座。
【請求項２】
前記安全座滑り止めに作業靴を乗せ、作業靴の先端部を前記側部ガードの横棒と支柱および台部に囲まれる空間に入れ、安全靴を固定させる側部ガードを安全座に取り付けたことを特徴とする請求項１に記載の柱上作業台取り付け安定座。
【請求項３】
前記安全座の主要部分をアルミニウム材で構成することを特徴とする請求項１に記載の柱上作業台取り付け安定座。
【発明の詳細な説明】
【技術分野】
【０００１】
本発明は、電柱の外周に垂直に取り付けられる作業台に設置する柱上作業台取り付け安全座に関するものである。
【背景技術】
【０００２】
図６に従来から電柱に用いられている作業台を示す。一般に、この作業台２０の幅は２００ｍｍであり、長さは９００ｍｍまたは１１００ｍｍ程度である。電柱２４の電気工事作業に使用される作業台２０は、電柱面より直角に突き出しており、作業者は作業台２０の上に立ち作業を行っている。作業者の転落防止などの安全対策は、作業者の腰部を安全ベルトで電柱と連結させることで行っている。
【０００３】
作業台は狭いこともあり、作業箇所によっては無理な体勢が要求されることや力を必要とする作業があり、また、時として電柱から離れた位置での作業において、作業台の先端部分に立って作業することが要求される。このため、体のふらつきや足元の不安定さを感じることがある。そこで、作業台の上で作業するには作業自身に注力すると同時に、足場の安定性や安全性に気を配る必要がある。
【０００４】
最近、高所作業車の普及により、長時間の柱上作業が予想される工事には、高所作業車の配置によって行うことも多くなっている。しかし、狭い道路、交通量の多い場所、住宅の玄関前などは長時間の駐車に限界があり、また、作業車自体が全く入らない偏狭な場所に建っている電柱も多く、作業台による工事を今なお行わざるをえない状況である。
【０００５】
これまでの電柱上の手作業は感電の危険があることから、区間停電を行い、柱上作業に取り掛かっていた。これらの停電による作業を行うには地域住民の了解を得なければならず、また、状況に合わせた作業工程を作る必要があり大変煩雑な作業となっている。
【０００６】
そこで最近、区間停電を行わずに通電中に作業ができる道具として、絶縁ヤットコやラチェットスパナ等の目的に応じた工具を装備した絶縁操作棒（ホットスティック）が用いられている。これらの操作棒は絶縁された遠隔操作棒であり、作業台よりこれらの操作棒を用いて、電柱上部の電線近傍の作業を遠隔的に行う方法である。
【０００７】
操作棒を用いる作業は作業箇所の下部に作業台を設置し、視点を上方に向けた体勢で作業をする必要がある。そのため、足元に視点を向け、安全性を確認することがおろそかになるとともに、視線を上に向けつづけることにより平衡感覚が失われやすい。また、操作棒は軽量化されているが手作業で用いられるペンチ、ドライバー等に比較すると重く、操作棒の重量を考慮し体のバランスをとり作業する必要がある。
【特許文献１】特開２０００−１１５９２９号公報
【発明の開示】
【発明が解決しようとする課題】
【０００８】
電気工事作業に使用される電柱の作業台は、電柱面に取り付けられた狭い台であり、作業者は安全ベルトで基本的な安全は確保されているが、とっさの時に掴む手すり等は無く、不安定な作業体勢が要求される場合は、作業過程で不安感を感じることになる。時として作業台から外れた位置での作業や、高低差の大きい作業等が発生することがあり、これらの作業は無理な体勢での作業や、作業台の先端部分に立って行う作業が要求される。そのため、常に足元の位置の確認、滑りの有無の確認等を行い、不安をなくし安全な作業を進める必要がある。
【０００９】
通電中に作業ができる道具として、絶縁ヤットコやラチェットスパナ等の工具を装備した共用操作棒等の操作棒の利用が増加している。これらの操作棒は絶縁された遠隔操作棒であり安全であるが、電柱に取り付けた作業台から操作をするためには、上向きの体勢で時として体をのけぞり作業をしなければならないこともある。また、操作棒の重量を考慮し、体のバランスを取りながら作業をすることにもなる。このような不安定な体勢で細かい作業を狭い足場の上で行うことは不安感と疲労を伴うことになる。
【課題を解決するための手段】
【００１０】
本発明は上述した課題に鑑みてなされ、電柱に取り付けられる作業台に設置される安全座であって、該安全座に設置された下面開放のコ形状の安全座滑り止めを、作業台の上面の安全座滑り止めにかぶせ、安全座の下部に設置された固定板とで安全座を作業台に固定し、安全座の上面の両側に作業靴を固定する側部ガードを設けたことを特徴とする。
【００１１】
本発明では、安全座を作業台に取り付けることで作業者が安全に作業ができることを目的としている。安全座の作業台への取り付けは、安全座に設置された下面が開放されたコの字形状の安全座滑り止めを、作業台の上面の滑り止めにかぶせることで容易にできる。
【００１２】
また、安全座の下部に設置された固定板を用いて安全座を作業台に固定しており、簡単に安全座の取り外しができる。
【００１３】
更に、安全座の上面の両側に作業靴を固定する側部ガードを設けており、安全座滑り止めに作業靴を乗せ、作業靴の先端部を側部ガードの横棒と支柱および台部に囲まれる空間に入れ、安全靴を挟み込むことで作業靴を固定できる構造になっている。
【００１４】
また、本発明では、前記安全座滑り止めに作業靴を乗せ、作業靴の先端部を前記側部ガードの横棒と支柱および台部に囲まれる空間に入れ、安全靴を固定させる側部ガードを安全座に取り付けたことを特徴とする。これにより作業中の作業靴の安定が容易に図れる。
【００１５】
更に、本発明では、前記安全座の主要部分をアルミニウム材で構成することを特徴とする。これにより安全座が軽量化でき持ち運びや作業台への取り付けが容易になる。
【発明の効果】
【００１６】
本発明に依れば、安定座には側部ガードが取り付けられており、作業をしている時に作業靴を側部ガードに接触させ足の位置を確認することができる。そのため作業者の足が常に安定座の上の安全な場所にあることを目視無しで確認でき安心感を得ることができる。
【００１７】
また、安全座滑り止めに作業靴を乗せ、作業靴の先端部を側部ガードの横棒と支柱および台部に囲まれる空間に入れ、安全靴を挟み込むことで作業靴を固定することができる。更に、左右の足を左右の側部ガードで固定することもできる。多少無理な体勢を要求される作業であっても、側部ガードで安全靴を固定することができるため、作業に伴う体のふらつきを防止すると同時に、体を安定させることができ、しかも、滑り等の不安感を解消するなど不安定な体勢に対する不安感を取り去ることができる。
【００１８】
特に、操作棒を用いる上方作業では、視線を上に向けつづけることにより平衡感覚が失われやすく体勢が不安定になり、不安感を伴うことになるが、側部ガードの中に作業靴の先端を入れ、固定化することでこれらの問題も解決できる。
【００１９】
更に、安全座の固定板を蝶ナットで締めることで、安全にしかも簡単に安定座を作業台に取り付けることができ、安全座を取り付けるために、特別な作業は発生しない。
【発明を実施するための最良の形態】
【００２０】
図１は本発明による電柱の作業台に取り付ける安定座の正面図である。図２は本発明による安定座の側面図である。図３は安定座に取り付ける固定板の上面図である。図４は柱上作業台に取り付けた安定座の側面図である。
【００２１】
本発明による安定座１は、従来からの電柱に取り付けて作業をする作業台２０の上に取り付ける台座で、安全性を確保し作業の効率を向上させるものである。
【００２２】
この安定座１は安定座滑り止め２、側部ガード３、台部４、固定板８から構成されている。安定座１の材料は軽量化と強度を考慮し基本部分はアルミニウムで製作されている。
【００２３】
作業台２０は一般に幅が２００ｍｍで長さが９００ｍｍと１１００ｍｍのものがあるが、この安定座１はどちらにも利用できるようになっている。安全座１に設置された安定座滑り止め２は下面が開放されたコの字形状で、両端は台部４に溶接され固定されている。
【００２４】
この安定座滑り止め２の下面の開放部が、作業台２０の作業台滑り止め２３にかぶせさる形で取り付けられている。そのため安定して安定座１を作業台２０に固定することができる。
【００２５】
また、安定座滑り止め２は作業台２０の作業台滑り止め２３の厚みに対し、さらに厚くした角型構造にすることにより、より滑りを防止すると同時に、滑ることに対する不安感を低減している。
【００２６】
図５は作業台に安全座を取り付け作業者が作業をしている状況である。
【００２７】
安定座１には側部ガード３が取り付けられており、作業をしている時に作業靴を側部ガード３の横棒６あるいは支柱５に接触させ足の位置を確認することで、作業者の足が常に安定座１の上の安全な場所にあることを目視無しで確認できるようにしている。
【００２８】
安全座滑り止め２３に作業靴を乗せ、作業靴の先端部を側部ガード３の横棒６と支柱５および台部４に囲まれる空間に入れ、安全靴を挟み込むことで作業靴を固定できる構造にしている。
【００２９】
特に操作棒を用いる上方作業では、視線を上に向けつづけることにより平衡感覚が失われやすく体勢が不安定になりがちであるが、側部ガード３の中に作業靴を入れ、固定化することでこれらの問題も解決する。なお、側部ガード３は支柱５を取り付けることで安定な構造になっている。
【００３０】
図１と図３に示した固定板８は、図２に示す台部４下部の片端に取り付けられた固定板支点金具７に固定板８の支点金具穴９が入れ取り付けられている。この固定板８は固定板支点金具７を軸に自由に回転できる形で台部４に取り付けられている。
【００３１】
固定板８を作業台に設置した後、図示していないが台部４の下部の固定板支点金具７が取り付けられていない他の一方の片端にボルトが取り付けられている。安全座１を固定するためには、このボルトに、まず固定板８の取り付け部１０の開口部を入れる。固定板８の取り付け部１０を挟み込んだ状態で、ボルトに蝶ナットをはめ締め込むことで、安定座１を固定する。このように固定板８を取り付け、蝶ナットで締めることで、安全にしかも簡単に安定座１を作業台２０に取り付けることができ、また、蝶ナットを緩め、固定板８を外すことで、取り外しも容易に行うことができる。
【００３２】
なお、安全座１は作業台２０に直接固定して取り付けても良い。その場合は、固定板８が不要になる。
【図面の簡単な説明】
【００３３】
【図１】本発明による柱上作業台に取り付ける安定座を説明する正面図である。
【図２】本発明による安定座の側面図である。
【図３】本発明による安定座に取り付ける固定板を説明する上面図である。
【図４】本発明による柱上作業台に取り付けた安定座を説明する側面図である。
【図５】本発明による作業台に取り付けた安全座で作業者が作業をしている状況である。
【図６】従来から電柱に用いられている作業台を説明する斜視図である。
【符号の説明】
【００３４】
１      安定座
２      安定座滑り止め
３      側部ガード
４      台部
５      支柱
６      横棒
７      固定板支点金具
８      固定板
９      支点金具穴
１０    取り付け部
２０    作業台
２１    締め付け具
２２    支持部
２３    作業台滑り止め
２４    電柱
【図１】
2005287145.tif 000003
【図２】
2005287145.tif 000004
【図３】
2005287145.tif 000005
【図４】
2005287145.tif 000006
【図５】
2005287145.tif 000007
【図６】
2005287145.tif 000008